(57)【特許請求の範囲】
【請求項１】
キャビネット等の収納体の引き出しにおいて、前記引き出しの前板が引き出し本体に、その引き出し本体の引き出し方向に垂直に昇降するように保持されていることを特徴とする収納体の引き出し。
【請求項２】
上記前板が、上記引き出し本体との間に設けられた弾性部材によって常に上向きに付勢されていることを特徴とする請求項１に記載の収納体の引き出し。
【請求項３】
上記弾性部材として定荷重バネを用いたことを特徴とする請求項２に記載の収納体の引き出し。
【請求項４】
上記前板と収納体との間にガイド機構が介設されており、そのガイド機構によって、前記前板が引き出しの出し入れに連動して自動的に昇降するようになっていることを特徴とする請求項１に記載の収納体の引き出し。
【発明の詳細な説明】
【０００１】
【発明の属する技術分野】
この発明はキャビネット等の収納体の引き出しに関する。
【０００２】
【従来の技術】
上記キャビネット等の収納体において、引き出しが高い位置にある場合、具体的には、図６（ａ）に示すように、引き出し１００の前板４の上縁が殆ど目線の位置か、それより僅かしか低い位置にしかない場合、その前板４が邪魔になって引き出し１００の内部が見通しにくい。
【０００３】
そうすると、以前の収納物Ｗが前板４寄りに収納されていた場合は、その収納物Ｗが前板４に隠れてしまうような低い物や奥行きの小さい物である場合には、それに気が付かず、いつの間にかその収納物Ｗのことを忘れてしまって、後にその収納物Ｗが必要になった時、その所在が判らず、大騒動になる場合もある。
【０００４】
また、そのような引き出し内部の見通しの悪さだけでなく、収納物Ｗの出し入れの際には、それを、一旦、前板４の上方にまで持ち上げねばならず、特に、重量物の場合には、腕や腰に大きな負担がかかり、引き出しが高い位置にある場合はなおさらである（図中、Ｃはキャビネットである）。
【０００５】
上記の内、引き出し内部の見通しの悪さについては、引き出し１００が低い位置にある場合には、ある程度解消されるが、収納物Ｗの出し入れについては、図６（ｂ）に示すように、引き出し１００が低い位置にあっても、やはり、前板４が邪魔になって、多かれ少なかれ体に負担を感ずることは、日々経験するところである。
【０００６】
【発明が解決しようとする課題】
そこで、この発明の課題は、上記のような引き出しの前板の存在に基づく不便さを解消することにある。
【０００７】
【課題を解決するための手段】
上記課題を解決するために、この発明は、前記引き出しの前板が引き出し本体に、その引き出し本体の引き出し方向に垂直に昇降するように保持されているようにしたのである。
【０００８】
このようにしたので、引き出しを収納体から引き出した後、あるいは、以下に述べるように、引き出しを引き出しながら、引き出し本体に対して前板を、その引き出し本体の引き出し方向に垂直に下降させれば、引き出し本体前面が外部に開放されるので、その開放面を通じて、水平、あるいは、やや上向き程度の視角からでも引き出し内部を見渡すことができて収納物の確認が容易に行えるとともに、物を出し入れする際は、その開放面の分、前板が固定されている場合に比べて、出し入れが容易になる。
【０００９】
上記構成において、前記前板と引き出し本体との間に弾性部材を設けて、前記前板が常に上向きに付勢されるような構成にすることができ、そのようにすれば、前記前板を手で下向きに押さえて下降させた後、元に戻す際には、手で持ち上げずとも、その弾性部材の付勢力によって自動的に上昇するので楽である。
【００１０】
その際、上記弾性部材として「定荷重バネ」を用いる構成とすることができ、「定荷重バネ」とは、図７に示すように、一定の曲率で曲げられた長尺の板バネ５ｗがブラケット５ｄに軸支されたドラム５ｄに巻かれたものであり、その状態の板バネ５ｗを直線状に引き伸ばす時に生ずる戻り力が引き出す長さにかかわらず一定であるので、例えば、その板バネ５ｗが巻かれた巻き取りユニット５ｕを引き出し本体側に装着しておき、板バネ５ｗの自由端５ｗ’を前板に取り付けておけば、前板を下げた後、その力を解放しても、前板はその状態で留まっており、上昇させるには、下げた時の力より僅かに大きい程度の力を加えるだけで、徐々に上昇して元に戻るという動作を取り、力と変位が比例するコイルバネの場合のように、その一方的な付勢力に対向するストッパ等を必要としない。
【００１１】
また、上記前板と収納体との間にガイド機構を介設し、そのガイド機構によって前記前板を引き出しの出し入れに連動して自動的に昇降させるようにすれば、前板の昇降が楽になる。
【００１２】
【発明の実施の形態】
以下、図を参照してこの発明の実施の形態を説明する。
（第１の実施形態）
この発明の引き出しは、前記したように、前板が引き出し本体に対して昇降可能となったものであるが、図１は、その第１の実施形態の引き出し１０を示したものであり、（ａ）に引き出し１０をキャビネットＣ内に収納した状態と、（ｂ）に、キャビネットＣから引き出した状態を一部破断を含めて斜視図で示したものである。
【００１３】
図に示すように、先ず、引き出し本体１において、その両側板１ａ、１ａの前縁と底板１ｂの前縁に、引き出し本体１の高さの４割程度の高さの取り付け板２が固定されている。そして、その取り付け板２の前面、左右対称の位置に市販のスライドレール３が垂直方向に取り付けられており、そのスライドレール３に前板４が裏面で取り付けられ、引き出し本体１に対して昇降可能となっている。
【００１４】
さらに、引き出し本体１の底板１ｂの下面前縁寄り、前記両スライドレール３、３の外寄りの位置に、前出の図７に示した市販の定荷重バネ５の巻き取りユニット５ｕが装着されており、その板バネ５ｗの自由端５ｗ’が前記前板４裏面の下縁近傍に固定されて、前板４を上向きに付勢するようになっている。
【００１５】
以上のような構成のこの引き出し１０は、前板前面の把手４ａを下向きに押さえてそれを下降させることができるので、その把手４ａを引いて引き出し１０を引き出した後、あるいは引き出しながら前板４を下げると、下げる前の状態の前板４の上縁から前記取り付け板２の上縁までの分が開口面となるので、図２（ａ）に示すように、その開口面を通して引き出し内部の見渡しが容易となり、また、収納物Ｗを取り出す際、（ｂ）の下側の図に黒矢印で示すように、前板４が下がった分、それに干渉することなく、前記開口面から水平に移動させることができて、収納物Ｗの出し入れもし易くなる。
【００１６】
その際、前板４を下降させた後、手を放しても、前記定荷重バネ５の作用によって前板４はその状態に止まっており、元に戻す際には、その付勢力によって加勢されるので、その作業が楽なものとなる。
【００１７】
なお、この実施形態では定荷重バネ５を取り付けたが、その定荷重バネ５、あるいは、他の弾性部材等、それらを設けずに、単に前板４をスライドレール３を介して取り付け板２に取り付けるだけにして、その昇降は全て腕力だけで行う形態のものにしてもよい。そうすると、前板４の昇降に少々煩わしさはあるが、引き出し１０の構成が簡単になり、定荷重バネ５等の弾性部材の重量も軽減される。
【００１８】
その場合、前板４を上昇させて通常の状態に留め置くためには、例えば、前板４側にボールプランジャ等の係止手段を設けて係止させておく。
【００１９】
（第２の実施形態）
図３はこの発明の第２の実施形態の引き出し２０について、（ａ）にそれをキャビネットＣ内に収納した状態と、（ｂ）に引き出した状態を一部破断を含めて斜視図で示したものである。
【００２０】
この実施形態の引き出し２０は、前記第１の実施形態の引き出し１０において、定荷重バネ５の取り付け形態を変えている。すなわち、図に示すように、定荷重バネ５の巻き取りユニット５ｕを引き出し本体１の背板１ｃの裏面に固定し、板バネ５ｗの自由端５ｗ’は、ワイヤ２１を介して前板４の裏面に接続している。そのワイヤ２１は、引き出し本体１の底板１ｂの下面から僅かに下方の位置をその底板１ｂに平行に進捗し、途中、底板１ｂの下面前寄りに設けられたガイドローラ２２に案内されて前板４の裏面に至っている。
【００２１】
定荷重バネ５の取り付け形態をこのような構成にしたのは、前記第１の実施形態の場合には、定荷重バネ５の巻き取りユニット５ｕを引き出し本体１の底板１ｂの下面に取り付けており、その巻き取りユニット５ｕの高さ分、引き出し本体１の高さ（深さ）を低くしなければならず、それによる収納量の減少を余儀なくされたが、上記のように巻き取りユニット５ｕを引き出し本体１の背板１ｃに設けることにより、引き出し本体１の深さを、普通の引き出しの状態に戻せるので、それによって、収納量の減少を押さえることができるからである。
【００２２】
その際、板バネ５ｗの自由端５ｗ’を前板４の裏面に直接接続せず、ワイヤ２１を介して接続したのは、板バネ５ｗだけで接続しようとすると、相応の長さの板バネ５ｗを必要とし、それに伴って巻き取りユニット５ｕの径が大きくなり、そうなると、その巻き取りユニット５ｕを取り付けるためにより大きな空間を必要とし、また、重量も増すので、それを避けるためである。
【００２３】
この実施形態の引き出し２０の作用は、前記第１の実施形態のそれと同じであり、再度の説明は省略する。
【００２４】
（第３の実施形態）
図４はこの発明の第３の実施形態の引き出し３０について、（ａ）に、それをキャビネットＣ内に収納した状態と、（ｂ）に引き出した状態を一部破断を含めて斜視図で示したものである。
【００２５】
この実施形態は、前板４とキャビネットＣとの間に、図に示すような円弧状のガイドレール３１と、それを挟んでガイドするガイドローラ３２から成るガイド機構を介設しており、前板４が、そのガイド機構によって、引き出し３０の出し入れに連動して自動的に昇降するようになったものである。
【００２６】
前記ガイドレール３１は、引き出し本体１の両側面１ａ、１ａに沿って、対のものが左右対称に配設されており、それぞれ、図の手前側の端部３１ａが前板４側面の高さ方向中間辺りに、ピン３１ｐによって軸支されていて、引き出し本体側面に平行な面内に回動自在となっている。また、他端（図の後方側）はフリーとなっている。
【００２７】
前記ガイドローラ３２は、キャビネットＣの引き出し収納空間の両側面の手前側上部のそれぞれに、三つ一組のものが対の形で設けられており、前記各ガイドレール３１がこの三つのガイドローラ３２に挟まれて、ガイドローラ３２に対して摺動可能となっている。
【００２８】
他方、前板４は、前記したように、前記ガイドレール３１の手前側端部３１ａとピン３１ｐで接続されているとともに、引き出し本体前面の前記取り付け板２にスライドレール３を介して接続されており、また、その取り付け板２との間に定荷重バネ５が配設されている。
【００２９】
以上のような構成のこの実施形態の引き出し３０では、前板４を引き出して行くと、それに取り付けられたガイドレール３１がガイドローラ３２に沿って手前側に進出してくるが、ガイドレール３１は図に示すように円弧形状であるので、その手前側端部３１ａが上から下へ移動し、その手前側端部３１ａは、前記したように前板４の側面にピン３１ｐによって回動自在に軸支されているので、その前板４がスライドレール３に沿って下がり、反対に、前板４の把手４ａに軽く手を添えて引き出し３０を押し込もうとすると、上記と反対の動作によって前板４が自動的に上昇する。こうして、この実施形態の引き出し３０は、引き出し３０の出し入れに連動して前板４が昇降するので、前記第１、第２の実施形態のように、前板４を昇降させるための大きな力を必要としない。
【００３０】
しかし、実際には、引き出し３０に物を収納した場合、そこそこの重量となり、また、この実施形態の場合、ガイドレール３１製作時の円弧形状の仕上がり具合によって、ガイドローラ３２との間の摩擦が大きくなったりするので、その連動機構の作用だけに頼って前板４を引き上げるのはやはり重労働となる。従って、この実施形態でも取り付け板２の前面と前板４の裏面の間に、前記第１の実施形態のように定荷重バネ５を配設して前板４を上向きに付勢し、前板４が楽に引き上げられるようにしている。
【００３１】
なお、この実施形態の変形例として、図４の円弧状のガイドレール３１に代えて、図５に示すような形態の対のガイド板４１を前板４の両側に取り付けて、そのガイド板４１の側面に設けたガイド溝４１ａにキャビネットＣの引き出し収納空間の側面に設けたガイドローラ４２を係合させて、引き出し本体１と前板４の連動機構を形成することもできる。このような形態のガイド板４１を用いると、少々嵩高くはなるが、前板４の昇降が安定してスムーズに行われる。この引き出し４０にも、前板４の上昇を加勢するために、前板４と取り付け板２の間にコイルバネ４３を設けている。
【００３２】
なお、以上の各実施形態では、収納体としてキャビネットＣを採り挙げたが、これに限られることはなく、流し台、引き出し付きの家具等、他の収納体にも適用できることは言うまでもない。
【００３３】
【発明の効果】
以上説明したように、この発明は、引き出しの前板を引き出し本体に、その引き出し本体の引き出し方向に垂直に昇降可能に保持させるようにしたので、引き出しを収納体から引き出した際には、前板を引き出し本体に対して下降させれば、特に、引き出しが高い位置にある場合には、収納物が視認し易くなるとともに、引き出しの位置の高低にかかわらず、物の出し入れの際には、前板が邪魔にならず、体にかかる負担が軽減できるという効果がある。
【図面の簡単な説明】
【図１】（ａ）に収納状態、（ｂ）に引き出した状態を示した第１の実施形態の引き出しの斜視図である。
【図２】（ａ）、（ｂ）それぞれに、この発明の効果を示した模式図である。
【図３】（ａ）に収納状態、（ｂ）に引き出した状態を示した第２の実施形態の引き出しの斜視図である。
【図４】（ａ）に収納状態、（ｂ）に引き出した状態を示した第３の実施形態の引き出しの斜視図である。
【図５】（ａ）に収納状態、（ｂ）に引き出した状態を示した第３の実施形態の引き出しの変形例を示す斜視図である。
【図６】（ａ）、（ｂ）それぞれに、従来の引き出しの不具合を示した模式図である。
【図７】定荷重バネを示す斜視図である。
【符号の説明】
１  引き出し本体
２  取り付け板
３  スライドレール
４  前板
５  定荷重バネ
５ｕ  巻き取りユニット
５ｗ  板バネ
１０、２０、３０、４０  引き出し
２１  ワイヤ
２２  ガイドローラ
３１  ガイドレール
３２  ガイドローラ
４１  ガイド板
４１ａ  ガイド溝
４２  ガイドローラ
Ｃ  キャビネット
【図１】
0003590003.tif 000002
【図２】
0003590003.tif 000003
【図３】
0003590003.tif 000004
【図４】
0003590003.tif 000005
【図５】
0003590003.tif 000006
【図６】
0003590003.tif 000007
【図７】
0003590003.tif 000008